(57)【要約】【課題】切屑とすくい面との摩擦抵抗を低減でき、すくい面に切削液を十分に行き渡らせることができるとともに安定して保持することができ、これにより切屑の溶着を防止でき、切屑処理性を十分に確保でき、加工精度及び生産性を向上できる切削インサートを提供する。【解決手段】すくい面５と、前記すくい面５に交差して連なる逃げ面と、これらすくい面５及び逃げ面の交差稜線に形成された切れ刃７と、を備えた切削インサートであって、前記すくい面５には、前記切れ刃７に到達しない溝１０が互いに並行するように複数形成されていることを特徴とする。【選択図】図３
2012045635.tif 000002
【特許請求の範囲】
【請求項１】
すくい面と、前記すくい面に交差して連なる逃げ面と、これらすくい面及び逃げ面の交差稜線に形成された切れ刃と、を備えた切削インサートであって、
前記すくい面には、前記切れ刃に到達しない溝が互いに並行するように複数形成されていることを特徴とする切削インサート。
【請求項２】
請求項１に記載の切削インサートであって、
前記溝が、前記すくい面のブレーカに形成されていることを特徴とする切削インサート。
【請求項３】
請求項１又は２に記載の切削インサートであって、
前記溝は、前記切れ刃に沿うように延びており、
前記溝の幅方向における最深部は、溝幅に対して、該溝の幅方向における前記切れ刃側の開口縁から１／３以下の領域に配置されていることを特徴とする切削インサート。
【請求項４】
請求項１〜３のいずれか一項に記載の切削インサートであって、
前記溝の幅方向に沿う断面は三角形状をなしており、
前記幅方向に隣り合う前記溝同士は、互いの内面が交差するように形成された稜部を介して連なっていることを特徴とする切削インサート。
【請求項５】
請求項１〜４のいずれか一項に記載の切削インサートであって、
前記溝の幅は、１μｍ〜２５μｍの範囲内に設定され、
前記溝の深さは、前記溝の幅以下に設定されることを特徴とする切削インサート。
【発明の詳細な説明】
【技術分野】
【０００１】
本発明は、例えば、多結晶ダイヤモンド（ＰＣＤ）焼結体や立方晶窒化硼素（ｃＢＮ）焼結体を切れ刃に備えた切削インサートに係るものであり、特に耐溶着性に優れた切削インサートに関する。
【背景技術】
【０００２】
従来、金属材料（被削材）に旋削加工や転削加工等を施す刃先交換式切削工具が知られている。刃先交換式切削工具は、軸状や柱状をなす工具本体と、板状や棒状をなし該工具本体の先端部に着脱可能に装着される切削インサートと、を備えている。切削インサートは、多角形面や円形面などからなるすくい面と、このすくい面に交差して連なる逃げ面と、これらすくい面及び逃げ面の交差稜線に形成された切れ刃と、を備えている。
【０００３】
この種の切削インサートとして、例えば下記特許文献１に示されるような、超硬合金や鋼等からなる台金の角部にＰＣＤ焼結体又はｃＢＮ焼結体を含む切れ刃部材が配設されたものが知られている。一般に、切れ刃がＰＣＤからなる切削インサートは、例えばアルミニウム等の非鉄金属の切削加工に用いられるが、このような被削材の切屑はカールしにくく分断されにくいため、切屑処理性が悪い。また、切れ刃がｃＢＮからなる切削インサートは、例えば焼結合金等の切削加工に用いられるが、やはり切屑が延びやすく、切屑処理性が課題である。そこで、特許文献１の切削インサートでは、すくい面に凹状のブレーカ（チップブレーカ）を設け、このブレーカにおける切れ刃側とその反対側とに表面粗さの異なる領域を形成することで、切屑との摩擦抵抗を抑えつつも切屑を確実にカールさせて、切屑処理性を改善するようにしている。
【先行技術文献】
【特許文献】
【０００４】
【特許文献１】特開平４−２１７４０４号公報
【特許文献２】特開２００８−２２９８３８号公報
【発明の概要】
【発明が解決しようとする課題】
【０００５】
しかしながら、従来の切削インサートにおいては、下記の課題があった。
すなわち、切屑が擦過するすくい面（ブレーカ）に溶着が生じやすく、このような溶着によって切屑処理性を十分に確保することができなくなり、加工精度や生産性が低減してしまっていた。
一方、切削液（クーラント）を使用してすくい面の潤滑性を高めることにより、前述の溶着を防止することが考えられるが、切削液がすくい面に十分に行き渡らず、また供給された切削液を安定して保持することができなかった。
【０００６】
本発明は、このような事情に鑑みてなされたものであって、切屑とすくい面との摩擦抵抗を低減でき、すくい面に切削液を十分に行き渡らせることができるとともに安定して保持することができ、これにより切屑の溶着を防止でき、切屑処理性を十分に確保でき、加工精度及び生産性を向上できる切削インサートを提供することを目的としている。
【課題を解決するための手段】
【０００７】
前記目的を達成するために、本発明は以下の手段を提案している。
すなわち本発明は、すくい面と、前記すくい面に交差して連なる逃げ面と、これらすくい面及び逃げ面の交差稜線に形成された切れ刃と、を備えた切削インサートであって、前記すくい面には、前記切れ刃に到達しない溝が互いに並行するように複数形成されていることを特徴とする。
【０００８】
本発明に係る切削インサートによれば、すくい面には、切れ刃に到達しない溝が互いに並行するように複数形成されているので、すくい面と該すくい面上を流れる被削材の切屑との接触面積が抑えられて、摩擦抵抗が低減される。また、切削加工時に供給される切削液が、これら溝を流れてすくい面に十分に行き渡らされるとともに、溝内に安定して保持される。これにより、すくい面の潤滑性が確保され、温度上昇が抑制されて、切屑の溶着が防止される。このように溶着が防止されることにより、切屑処理性が十分に確保されて、加工精度及び生産性が高められている。尚、ここで言う「並行するように」とは、互いに平行とされたもののみならず、互いに非平行ながらも、並んで進む（並行する）ものを含む。
【０００９】
また、これら溝は切れ刃に到達していないことから、下記の効果が得られる。すなわち、例えば、溝が切れ刃に到達して形成されている場合には、切れ刃が凹凸形状をなすこととなり、被削材にその形状が転写されて、加工面に切削痕が出る虞がある。また、切れ刃の強度が低下してチッピングが生じやすくなる。また、溝内に供給された切削液が、溝の切れ刃側端縁から外部へ流出しやすくなり、切削液を安定して保持できなくなる。一方、本発明によれば、溝が切れ刃に到達していないことにより、切れ刃が切削する被削材の加工精度が確保され、切れ刃のチッピングが防止され、溝内の切削液が安定して保持されるとともに潤滑性が確保される。
【００１０】
また、本発明に係る切削インサートにおいて、前記溝が、前記すくい面のブレーカに形成されていることとしてもよい。
【００１１】
本発明に係る切削インサートによれば、すくい面にブレーカが形成されているので、切屑はこのブレーカ上を流れてカールし分断させられやすくなる。そして、ブレーカには前述した溝が形成されているので、ブレーカにおける溶着が防止されて、切屑処理性が高められる。
【００１２】
また、本発明に係る切削インサートにおいて、前記溝は、前記切れ刃に沿うように延びており、前記溝の幅方向における最深部は、溝幅に対して、該溝の幅方向における前記切れ刃側の開口縁から１／３以下の領域に配置されていることとしてもよい。
【００１３】
本発明に係る切削インサートによれば、溝の幅方向における最深部が、溝幅に対して、該溝の幅方向における切れ刃側の開口縁から１／３以下の領域に配置されているので、溝の内面（壁面）のうち、最深部よりも切れ刃とは反対側に位置する部位は、最深部よりも切れ刃側に位置する部位に比べて、幅方向の単位長さあたりの溝深さ方向の変位量が小さくなり、前記幅方向に対して緩やかに傾斜するように形成される。これにより、切れ刃からすくい面に向けて流れる切屑が、溝の内面に対して滑りやすくなるとともに衝突しにくくなるので、切屑は溝内に詰まりにくくなる。よって、溶着がより確実に防止されて、切屑処理性が向上する。
【００１４】
また、本発明に係る切削インサートにおいて、前記溝の幅方向に沿う断面は三角形状をなしており、前記幅方向に隣り合う前記溝同士は、互いの内面が交差するように形成された稜部を介して連なっていることとしてもよい。
【００１５】
本発明に係る切削インサートによれば、溝が断面三角形状をなしており、幅方向に隣り合う溝同士は、互いの内面が交差するように形成された稜部を介して連なっているので、これら溝全体として断面鋸刃状に形成されることとなる。そして、切屑は、すくい面の稜部に対して点接触又は線接触するように流れることになる。すなわち、すくい面と切屑との接触面積が大幅に抑えられ、摩擦抵抗が低減されて、該すくい面の温度上昇が抑制されるとともに、溶着が防止される。
【００１６】
また、本発明に係る切削インサートにおいて、前記溝の幅は、１μｍ〜２５μｍの範囲内に設定され、前記溝の深さは、前記溝の幅以下に設定されることとしてもよい。
【００１７】
本発明に係る切削インサートによれば、溝の幅が１μｍ以上に設定されているので、溝内に切削液が十分に保持される。また、摩耗や溶着によって溝が容易に消失するようなことが抑制される。すなわち、溝幅が１μｍよりも小さく設定された場合には、切削液を十分に保持できなくなるとともに潤滑性が低下して、すくい面に溶着が生じる虞がある。また、溝形状を初期状態のまま維持することが困難となり、溝が消失（破損）するなどして、前述の効果が安定して得られなくなる虞がある。
【００１８】
また、溝の幅が２５μｍ以下に設定されているので、溝内に切屑が入り込むことが抑制され、すくい面の溶着がより確実に防止される。
また、溝の深さが、溝の幅以下に設定されているので、溝強度が確保される。すなわち、例えば、溝幅方向に隣り合う溝同士の間隔が比較的短く設定されるような場合であっても、これら溝同士の間に位置する部位の機械的強度が十分に確保されるとともに、溝の破損が防止される。
【発明の効果】
【００１９】
本発明に係る切削インサートによれば、切屑とすくい面との摩擦抵抗を低減でき、すくい面に切削液を十分に行き渡らせることができるとともに安定して保持することができ、これにより切屑の溶着を防止でき、切屑処理性を十分に確保でき、加工精度及び生産性を向上できる。
【図面の簡単な説明】
【００２０】
【図１】本発明の一実施形態に係る切削インサートを示す斜視図である。
【図２】本発明の一実施形態に係る切削インサートの切れ刃部材近傍を示す側断面図である。
【図３】本発明の一実施形態に係る切削インサートの溝の形状を示す上面図である。
【図４】本発明の一実施形態に係る切削インサートの溝の形状を示す側断面図である。
【図５】本発明の一実施形態に係る切削インサートのブレーカに溝を形成した例を示す側断面図である。
【図６】本発明の切削インサートの溝の形状の変形例を示す側断面図である。
【図７】本発明の切削インサートの溝の形状の変形例を示す側断面図である。
【図８】本発明の切削インサートの溝の形状の変形例を示す上面図である。
【図９】本発明の切削インサートの溝の形状の変形例を示す上面図である。
【発明を実施するための形態】
【００２１】
以下に、本発明に係る切削インサートの実施形態について、図面を参照しながら説明する。
本発明の一実施形態に係る切削インサート１は、刃先交換式切削工具の軸状又は柱状をなす工具本体の先端部に着脱可能に装着されて、金属材料からなる被削材に対して、旋削加工や転削加工等の切削加工を施すものである。
【００２２】
切削インサート１は板状や棒状をなしており、本実施形態においては、図１に示すように、多角形板状をなしている。尚、切削インサート１の形状は切削加工の種類に応じて適宜設定されるものであり、前記多角形板状以外に、円形板状、棒状等の種々の形状に設定可能である。
【００２３】
切削インサート１は、超硬合金や鋼からなる菱形板状の台金３と、この台金３の角部に形成された凹状の接合部３ａに、ろう材４を介して接合された三角形板状の切れ刃部材２と、を備えている。ただし、これら台金３及び切れ刃部材２の形状においても、前述した切削インサート１の形状同様に種々に選択されるものであり、本実施形態に限定されない。本実施形態では、台金３としてＷＣ−Ｃｏ系超硬合金を用いている。
【００２４】
切れ刃部材２は、多結晶ダイヤモンド（ＰＣＤ）又は立方晶窒化硼素（ｃＢＮ）を含有する硬質焼結体からなる刃先層２ａが、超硬合金又はサーメットからなる支持層２ｂ上に一体に形成された２層構造とされている。このような切れ刃部材２は、例えば、硬質材料（ＰＣＤ粉末又はｃＢＮ粉末）をバインダー（結合材）を用いて混練し、支持基板（支持層２ｂ）上に積層した状態で、超高圧高温下において焼結し得られる。
【００２５】
切れ刃部材２は、高硬度で耐摩耗性に優れ、ヤング率が高く、熱膨張係数が低く耐熱衝撃性に優れている。尚、切れ刃部材２に支持層２ｂを用いずに、該切れ刃部材２全体を硬質焼結体（刃先層２ａ）で形成することとしてもよい。
切れ刃部材２にＰＣＤ焼結体を用いた切削インサート１は、例えばアルミニウム等の非鉄金属の切削加工に供される。また、切れ刃部材２にｃＢＮ焼結体を用いた切削インサート１は、例えば焼結合金等の切削加工に供される。
【００２６】
ろう材４は、切れ刃部材２を台金３にろう付け接合するために用いられるものであり、該台金３の接合部３ａ全体を覆うように設けられている。ろう材４は、例えば、Ａｇ、Ｃｕ、Ｔｉ、Ｉｎ及び不可避不純物により形成されている。尚、図１においては、説明の都合上、ろう材４の厚さを実際よりも厚く示している。
【００２７】
図１、図２に示すように、切削インサート１は、多角形面又は円形面等からなり厚さ方向を向くすくい面５と、すくい面５に交差して連なる逃げ面６と、これらすくい面５及び逃げ面６の交差稜線に形成された切れ刃７と、を備えている。特に図示しないが、すくい面５には、この切削インサート１を厚さ方向（図１、図２における上下方向）に貫通する貫通孔が開口されるとともに、この貫通孔にクランプネジが挿通されることによって、該切削インサート１が工具本体に装着されるように構成されてもよい。また、切れ刃７は、少なくとも前述した切れ刃部材２の刃先層２ａに形成される。図示の例では、切削インサート１において、厚さ方向のすくい面５とは反対側を向く面は、工具本体のインサート取付座（不図示）に着座される着座面８とされている。
【００２８】
また、図２の側断面視において、すくい面５の周縁部には、切れ刃７の内側（図２における右側）に連なるように配置されて凹状をなすブレーカ９が形成されている。図示の例では、ブレーカ９は、切れ刃７から内側へ向かうに従い漸次着座面８側へ向かって傾斜した後、凹曲線状をなすようにその向きを変えつつ厚さ方向のすくい面５側へ向けて延びている。尚、ブレーカ９の形状は、前述の断面凹曲線状に限定されるものではなく、例えばブレーカ９は、切れ刃７の内側に連なりすくい面５の上面に平行とされつつも一段後退された平坦面状のブレーカ底面と、該ブレーカ底面から前記厚さ方向に立ち上げられて前記上面に連なるブレーカ壁面と、を備えて形成されていてもよい。また、すくい面５にブレーカ９が形成されていなくても構わない。
【００２９】
また、図３の上面視に示すように、すくい面５には、切れ刃７に到達しない溝１０が、互いに並行するように複数形成されている。尚、ここで言う「並行するように」とは、互いに平行とされたもののみならず、互いに非平行ながらも、並んで進む（並行する）ものを含む。本実施形態においては、詳しくは、これら溝１０のうち、すくい面５の最も外側（切れ刃７側）に配置された溝１０ａが、切れ刃７に間隔をあけて該切れ刃７に沿うように延びているとともに、すべての溝１０が切れ刃７に対して平行に延びて形成されている。すなわち、これら溝１０同士も互いに平行に延在している。尚、このような溝１０の成形（製造）においては、平滑な仕上げ面を得るため、波長が紫外域に設定されたレーザを用いて加工することが望ましい。
【００３０】
図４に示す例では、すくい面５にブレーカ９が形成されておらず、溝１０は、該すくい面５における周縁部（切れ刃７の内側）に形成されている。図示するように、溝１０は、その幅方向（図４における左右方向）に沿う断面が三角形状をなしており、該溝１０の幅方向における最深部１１でその深さが最も大きくなるような断面凹状とされている。そして、この最深部１１は、溝幅Ｗに対して、該溝１０の幅方向における切れ刃７側の開口縁１２から１／３以下の領域に配置されている。すなわち、図４において、溝１０の幅方向に沿う開口縁１２から最深部１１までの距離Ｌは、溝幅Ｗの１／３以下に設定されている。
【００３１】
これにより、溝１０の内面（壁面）のうち、最深部１１よりも切れ刃７とは反対側に位置する傾斜面１３ａは、最深部１１よりも切れ刃７側に位置する傾斜面１３ｂに対して、幅方向の単位長さあたりの溝深さ方向の変位量が小さくなるように形成される。すなわち、溝１０において切れ刃７側を向く傾斜面１３ａは、切れ刃７とは反対側を向く傾斜面１３ｂに比べて、溝幅Ｗ方向（図４における左右方向）に対する傾斜が緩やかになるように形成されている。
【００３２】
また、図４において、溝幅Ｗ方向に隣り合う溝１０、１０同士は、互いの内面（傾斜面１３ａ、１３ｂ）同士が交差するように形成された凸状の稜部１４を介して連なっている。稜部１４は、溝１０、１０間において、これら溝１０の延在方向に沿うように延びて形成されている。尚、溝幅Ｗ方向に隣り合う溝１０、１０同士が、互いに間隔をあけて形成されているとともに、稜部１４が形成されていなくても構わない。
【００３３】
また、溝１０の幅Ｗは、１μｍ〜２５μｍの範囲内に設定されており、溝１０の深さＤ（すなわち最深部１１の深さＤ）は、溝の幅Ｗ以下に設定されている。また、溝１０ａにおける切れ刃７側の開口縁１２と切れ刃７との距離は、例えば溝幅Ｗの２倍以上に設定されており、本実施形態では５０μｍ程度とされている。
【００３４】
また、図５に示す例では、すくい面５の周縁部における切れ刃７の内側にブレーカ９が形成されており、溝１０は、該ブレーカ９内に形成されている。図５においては、複数の溝１０が、ブレーカ９内の略全体（詳しくは、ブレーカ９内において最も切れ刃７側に位置する溝１０ａと該切れ刃７との間を除く領域）に形成されている。尚、溝１０は、ブレーカ９内の略全体に形成されていなくてもよく、例えばその一部以上に形成されていてもよい。また、溝１０は、ブレーカ９内のみならず、該ブレーカ９の外部（例えばブレーカ９よりもすくい面５の内側に位置する領域）に形成されていてもよい。
【００３５】
以上説明したように、本実施形態に係る切削インサート１によれば、すくい面５には、切れ刃７に到達しない溝１０が互いに並行するように複数形成されているので、すくい面５と該すくい面５上を流れる被削材の切屑との接触面積が抑えられて、摩擦抵抗が低減される。また、切削加工時に供給される切削液（クーラント）が、これら溝１０を流れてすくい面５に十分に行き渡らされるとともに、溝１０内に安定して保持される。これにより、すくい面５の潤滑性が確保され、温度上昇が抑制されて、切屑の溶着が防止される。このように溶着が防止されることにより、切屑処理性が十分に確保されて、加工精度及び生産性が高められている。
【００３６】
また、これら溝１０は切れ刃７に到達していないことから、下記の効果が得られる。すなわち、例えば、溝が切れ刃に到達して形成されている場合には、切れ刃が凹凸形状をなすこととなり、被削材にその形状が転写されて、加工面に切削痕が出る虞がある。また、切れ刃の強度が低下してチッピングが生じやすくなる。また、溝内に供給された切削液が、溝の切れ刃側端部から外部へ流出しやすくなり、切削液を安定して保持できなくなる。一方、本実施形態によれば、溝１０が切れ刃７に到達していないことにより、切れ刃７が切削する被削材の加工面精度が確保され、切れ刃７のチッピングが防止され、溝１０内の切削液が安定して保持されるとともに潤滑性が確保される。
【００３７】
また、図５に示す切削インサート１によれば、すくい面５にブレーカ９が形成されているので、切屑はこのブレーカ９上を流れてカールし分断させられやすくなる。そして、ブレーカ９には前述した溝１０が形成されているので、ブレーカ９における溶着が防止されて、切屑処理性が高められる。
【００３８】
また、溝１０の幅方向における最深部１１が、溝幅Ｗに対して、該溝１０の幅方向における切れ刃７側の開口縁１２から１／３以下の領域に配置されているので、溝１０の内面（壁面）のうち、最深部１１よりも切れ刃７とは反対側に位置する部位（傾斜面１３ａ）は、最深部１１よりも切れ刃７側に位置する部位（傾斜面１３ｂ）に比べて、前記幅方向に対して傾斜が緩やかとなるように形成される。これにより、切れ刃７からすくい面５の内側へ向かう切屑が、溝１０の内面のうち傾斜面１３ａ上を滑るように流れるとともに該傾斜面１３ａに衝突されにくくなり、切屑は溝１０内に詰まりにくくなる。よって、溶着がより確実に防止されて、切屑処理性が向上する。
【００３９】
尚、最深部１１が溝１０の幅方向中央よりも切れ刃７側に偏倚して配置されることにより前述の効果を得ることができるが、本実施形態で説明したように、該最深部１１が溝１０の幅方向における切れ刃７側の開口縁１２から溝幅Ｗの１／３以下の領域に配置されることによって、その効果が確実に得られることとなるので、望ましい。
【００４０】
また、溝１０が断面三角形状をなしており、幅方向に隣り合う溝１０、１０同士は、互いの内面が交差するように形成された稜部１４を介して連なっているので、図４及び図５に示すように、これら溝１０全体として断面鋸刃状に形成されることとなる。そして、切屑は、すくい面５の稜部１４に対して点接触又は線接触するように流れることになる。すなわち、すくい面５と切屑との接触面積が大幅に抑えられ、摩擦抵抗が低減されて、該すくい面５の温度上昇が抑制されるとともに、溶着が防止される。
【００４１】
また、溝１０の幅Ｗが１μｍ以上に設定されているので、溝１０内に切削液が十分に保持される。また、摩耗や溶着によって溝１０が容易に消失するようなことが抑制される。すなわち、溝幅Ｗが１μｍよりも小さく設定された場合には、切削液を十分に保持できなくなるとともに潤滑性が低下して、すくい面５に溶着が生じる虞がある。また、溝１０の形状を初期状態のまま維持することが困難となり、溝１０が消失（破損）するなどして、前述の効果が安定して得られなくなる虞がある。
【００４２】
また、溝１０の幅Ｗが２５μｍ以下に設定されているので、溝１０内に切屑が入り込むことが抑制され、すくい面５の溶着がより確実に防止される。
また、溝１０の深さＤが、溝１０の幅Ｗ以下に設定されているので、溝１０の強度が確保される。すなわち、例えば本実施形態のように、溝幅Ｗ方向に隣り合う溝１０、１０同士の間隔が比較的短く設定されるような場合であっても、これら溝１０、１０同士の間に位置する部位（頂点に稜部１４を有する壁部）の機械的強度が十分に確保されるとともに、溝１０の破損が防止される。
【００４３】
尚、本発明は前述の実施形態に限定されるものではなく、本発明の趣旨を逸脱しない範囲において種々の変更を加えることができる。
例えば、前述の実施形態では、溝１０の幅方向に沿う断面が三角形状をなしていることとしたが、これに限定されるものではない。
【００４４】
図６は、前述した実施形態の変形例を示している。尚、以下の説明においては、前述の実施形態と同一部位には同一の符号を付し、その説明を省略する。図示の例では、断面三角形状をなす溝１０の代わりに、断面凹曲線状をなし、切れ刃７に到達しない溝２０が、溝幅Ｗ方向に沿って並行するように複数形成されている。そして、これら溝２０全体として、断面波状をなしている。また、溝２０の最深部１１は、該溝２０の幅方向中央よりも切れ刃７側に偏倚して配置されている。
【００４５】
また、図７に示す変形例のように、前述した溝１０、２０の最深部１１とは異なり、溝幅方向（図７における左右方向）の幅方向中央よりも切れ刃７とは反対側（すくい面５の内側）に偏倚して配置された最深部３１を有する溝３０が、互いに並行するように複数形成されていてもよい。この場合、これら溝３０のうち、すくい面５の最も外側（切れ刃７側）に配置された溝３０ａにおける最深部３１が、切れ刃７から離間するように配置されるので、該最深部３１から切れ刃７側（逃げ面６側）へ向けてクラックが入りにくくなり、切れ刃７のチッピングを抑制する効果が高められる。
尚、図６及び図７においては、すくい面５にブレーカ９が形成されていない例を用いて説明したが、図５で説明したように、溝２０、３０が、すくい面５に形成されたブレーカ９内に配置されていてもよい。
【００４６】
また、図８、図９に示す変形例のように、切れ刃７に到達しない溝４０が、互いに並行するように複数形成されつつも、互いに又は／及び切れ刃７に対して、非平行に延びていることとしてもよい。図８の例では、複数の溝４０及び切れ刃７が、互いに非平行に延びて形成されている。図９の例では、複数の溝４０同士が互いに平行に形成されている一方で、これら溝４０と切れ刃７とは非平行とされている。
【００４７】
また、前述の実施形態では、すくい面５にブレーカ９が形成されていなくてもよく、すなわちブレーカ９を有しないすくい面５に、前述の溝１０、２０、３０、４０が直接形成されていてもよいとしたが、すくい面５にブレーカ９が形成されていることにより、前述のように切屑処理性がより高められることから、望ましい。
また、ブレーカ９を形成する場合において、その形状は、前述の実施形態で説明したものに限定されるものではない。
【００４８】
また、前述の実施形態では、台金３の角部に凹状の接合部３ａが形成されているとともに、該接合部３ａにＰＣＤ焼結体又はｃＢＮ焼結体を含む切れ刃部材２がろう付け接合されていることとしたが、これに限定されるものではない。すなわち、例えば、切削インサート１は、そのインサート本体における少なくとも切れ刃７近傍にＴｉＮ、ＴｉＡｌＮ、ＴｉＡｌＳｉＮ、ＣｒＡｌＮの内、１膜あるいは２膜以上の膜でコーティングがなされたものであっても構わない。また、切削インサート１の各構成要素の材質は、前述の実施形態に限定されるものではない。
【００４９】
その他、前述した実施形態及び変形例の構成要素を適宜組み合わせても構わない。また、本発明の趣旨を逸脱しない範囲において、前述の構成要素を周知の構成要素に置き換えることが可能である。
【実施例】
【００５０】
以下、本発明を実施例により具体的に説明する。ただし本発明はこの実施例に限定されるものではない。
【００５１】
[切削インサートの作製]
まず、平均粒径５μｍのダイヤモンド粉末を用意し、これとバインダーとを混練したものを支持基板（支持層２ｂ）上に積層して、ジルコニウム製カプセルに封入した。尚、前記支持基板としては、コバルト含有量約１５重量％のＷＣ−Ｃｏ系超硬合金を用いた。
【００５２】
次いで、このカプセルを、圧力５．５ＧＰａ、温度１５００℃、保持時間３０分の条件で超高圧高温処理し、ＰＣＤ焼結体素材を得た。
また、このＰＣＤ焼結体素材の上下面をダイヤモンド砥石にて研磨し、厚さ１．５ｍｍの円板形状とした。
次いで、ワイヤ放電加工機を用いて、前記ＰＣＤ焼結体素材を所定形状・寸法に切断し、切れ刃部材２を得た。
【００５３】
一方、ＷＣ−Ｃｏ系超硬合金からなる台金３のコーナ部に、切れ刃部材２の形状に対応するように凹状の接合部３ａを形成し、この接合部３ａにろう材４を介して前記切れ刃部材２を配設し、７００〜７３０℃でろう付け接合して、切削インサート１を得た（図１参照）。尚、前記ろう材４としては、Ａｇ−Ｃｕ−Ｔｉ−Ｉｎ系のものを用いた。
【００５４】
次いで、インサート加工用研削盤を用いて、前記切削インサート１の外周形状を整え、呼び記号ＴＰＭＨ１６０３０４に仕上げた。
次いで、放電加工機を用いて、この切削インサート１のすくい面５における周縁部（切れ刃７の内側部分）に、凹状のブレーカ９を形成した（図２参照）。
【００５５】
次いで、ＹＡＧレーザの４倍波を用いて、出力１Ｗ、走査速度１０ｍｍ／ｓｅｃ、繰り返し１０ｋＨｚの条件で、切削インサート１のブレーカ９に、下記表１に示す実施例１〜１６及び比較例１〜１０の溝をそれぞれ形成した。尚、溝は、図３に示すように切れ刃７に平行で、かつ、複数の溝同士が平行になるように形成した。また、これら溝は、図５に示すようにブレーカ９内の略全体に形成し、溝形状（寸法）の確認・測定には、レーザ顕微鏡を用いた。詳しくは、溝の測定箇所を５点設定して、溝幅Ｗ・溝深さＤについてはこれら５点のうち最大のものが所定の値となるように、また、溝幅に対する溝の切れ刃側開口縁から最深部までの距離（Ｌ／Ｗ）については５点の平均値が所定の値となるように、溝を形成した。
また、切削インサート１のすくい面５にブレーカ９を形成せずに、該すくい面５の周縁部に溝を直接形成したものを用意した（実施例１７、１８及び比較例１１、１２）。尚、溝の配置及び形成領域については、上面視で実施例１〜１６、比較例１〜１０と略同等の面積になるように設定し、溝の形成方法、溝形状（寸法）の確認・測定については、前述同様とした。
【００５６】
[切削試験]
前述のように作製された各切削インサート１、及び、アルミ合金を用いて、湿式で連続切削試験を行った。尚、切削条件は下記の通りとした。被削材：アルミ合金Ａ５０５２丸棒、切削速度：３００ｍ／ｍｉｎ、送り：０．１ｍｍ／ｒｅｖ、切込み：０．２ｍｍ。そして、上記試験における切屑処理性を目視により評価した。評価結果を表１に示す。
尚、評価の基準（Ａ、Ｂ、Ｃ、Ｄ）は、下記の通りとした。
Ａ：優良。切屑処理性に特に優れており、溶着や切れ刃・溝の破損は全く見受けられない。
Ｂ：良。切屑処理性が良く、溶着や切れ刃・溝の破損は特に見受けられない。
Ｃ：可（改善効果あり）。Ｂよりはやや劣るものの、切屑処理性が良く、溶着や切れ刃・溝の破損は特に見受けられない。
Ｄ：不可。溶着や切れ刃・溝の破損が生じており、切屑処理性が悪い。
【００５７】
【表１】
2012045635.tif 000003
【００５８】
[評価]
表１に示す通り、溝が切れ刃に到達しない形状とされた実施例１〜１８では、評価がすべてＣ以上（Ａ〜Ｃ）となり、溶着や切れ刃・溝の破損が見受けられず、良好な結果となった。尚、これら実施例１〜１８のうち、溝がブレーカ９内に形成されているとともに、溝断面形状が三角形に設定された実施例４〜９、１２、１３、１６においては、評価がすべてＢ以上（Ａ、Ｂ）となり、また、溝がブレーカ９内に形成されているとともに、溝幅に対する溝の切れ刃側開口縁から最深部までの距離（Ｌ／Ｗ）が１／３以下に設定された実施例２、５、７〜９、１２、１３、１６も、評価がすべてＢ以上となった。特に、これらを組み合せたもの（すなわち溝がブレーカ９内に形成され、溝断面形状が三角形とされるとともに前記Ｌ／Ｗが１／３以下に設定されたもの）のうち、溝幅Ｗが１μｍ〜２５μｍの範囲内に設定され、かつ、溝深さＤが溝幅Ｗ以下に設定された実施例５、７〜９においては、評価がすべてＡとなり、優れた切屑処理性が得られることがわかった。
【００５９】
ここで、溝幅Ｗが１μｍ〜２５μｍの範囲内に設定されたもの（例えば実施例５、実施例８）と、これに対し溝幅Ｗ以外の条件が同一ではあるものの該溝幅Ｗが前述の範囲外に設定されたもの（例えば実施例１２、実施例１３）とを対比すると、溝幅Ｗが１μｍ〜２５μｍの範囲内に設定されることで切屑処理性が確実に高められていることが分かる。尚、溝深さＤ以外が互いに同一の条件とされた実施例１と実施例１４（或いは実施例７と実施例１６）の対比からは、溝深さＤが溝幅Ｗ以下とされることにより切屑処理性が確実に高められていることが分かる。詳しくは、例えば溝深さＤが溝幅Ｗよりも大きく設定された実施例１４においては、評価がＣとなり、溝深さＤが溝幅Ｗ以下とされた実施例１（評価Ｂ）よりも切屑処理性が劣っていた。
【００６０】
また、ブレーカ９の有無以外が互いに同一の条件とされた実施例２と実施例１７（或いは実施例９と実施例１８）の対比からは、溝がブレーカ９内に形成されることで、切屑処理性が大幅に高められることが確認された。
一方、溝が切れ刃に到達する形状とされた比較例１〜１２においては、ブレーカ９の有無、溝断面形状、溝幅Ｗ、溝深さＤ、距離Ｌ／Ｗの設定に係わらず、評価がすべてＤとなり、溶着や切れ刃・溝の破損等が見受けられ、切屑処理性が悪かった。
【００６１】
尚、前述の実施例では、溝は、図３に示すように切れ刃７に平行で、かつ、複数の溝同士が平行となるように形成したが、この実施例（本発明）で得られた切屑処理性の傾向（評価Ｃ以上）は、溝が切れ刃に到達せず、かつ、溝同士が互いに並行するように形成された配置であれば、図３の溝の配置に限定されず得られるものであることが確認された。
すなわち、図８に示すように、切れ刃７に到達しない複数の溝４０が、切れ刃７に非平行で、かつ、互いにも非平行に配置された場合であっても、それ以外が実施例１〜１８と同一の条件であればすべて評価Ｃ以上となることがわかった。
また、図９に示すように、切れ刃７に到達しない複数の溝４０が、切れ刃７に非平行とされつつも、互いには平行に配置された場合においても、それ以外が実施例１〜１８と同一の条件であればすべて評価Ｃ以上となることがわかった。
一方、溝が切れ刃に到達する形状とされた比較例においては、どのような溝の配置によっても、評価がすべてＤとなった。
【符号の説明】
【００６２】
１  切削インサート
５  すくい面
６  逃げ面
７  切れ刃
９  ブレーカ
１０、１０ａ、２０、３０、３０ａ、４０  溝
１１、３１  溝の幅方向における最深部
１２  溝の幅方向における切れ刃側の開口縁
１３ａ  溝の内面のうち最深部よりも切れ刃とは反対側に位置する部位（傾斜面）
１３ｂ  溝の内面のうち最深部よりも切れ刃側に位置する部位（傾斜面）
１４  稜部
Ｄ  溝の深さ
Ｌ  溝の幅方向における切れ刃側の開口縁から最深部までの距離
Ｗ  溝幅
【図１】
2012045635.tif 000004
【図２】
2012045635.tif 000005
【図３】
2012045635.tif 000006
【図４】
2012045635.tif 000007
【図５】
2012045635.tif 000008
【図６】
2012045635.tif 000009
【図７】
2012045635.tif 000010
【図８】
2012045635.tif 000011
【図９】
2012045635.tif 000012